(57)【要約】【課題】移動機に保存されている様々な情報のバックアップを簡易かつ効率的に行うこと。【解決手段】移動機は、内部記憶部（１１）に保存されている情報を外部記憶媒体（１２）に保存するバックアップ機能を有する。移動機は、外部記憶媒体が移動機に接続されていることを検出する検出部（１３、１４）と、バックアップ機能の起動の要否をユーザに問い合わせるユーザインターフェース（１５）と、起動を要する場合であって、バックアップの対象の情報量が、検出された外部記憶媒体に保存可能な情報量以下であった場合、バックアップ機能を起動し、内部記憶部に保存されている情報を外部記憶媒体に保存するバックアップ制御部（１６、１７、１８）とを有する。【選択図】図１
2011066553.tif 000002
【特許請求の範囲】
【請求項１】
内部記憶部に保存されている情報を外部記憶媒体に保存するバックアップ機能を有する移動機であって、
前記外部記憶媒体が当該移動機に接続されていることを検出する検出部と、
前記バックアップ機能の起動の要否をユーザに問い合わせるユーザインターフェースと、
起動を要する場合であって、バックアップの対象の情報量が、検出された前記外部記憶媒体に保存可能な情報量以下であった場合、前記バックアップ機能を起動し、前記内部記憶部に保存されている情報を前記外部記憶媒体に保存するバックアップ制御部と
を有する、バックアップ機能を有する移動機。
【請求項２】
前記検出部が前記外部記憶媒体を検出した後速やかに、前記ユーザインターフェースは、前記バックアップ機能の起動の要否をユーザに問い合わせる、請求項１記載の移動機。
【請求項３】
前記バックアップ機能の起動の要否をユーザに問い合わせて以来、ある期間が経過したとき、前記ユーザインターフェースは、前記バックアップ機能の起動の要否を再びユーザに問い合わせる、請求項１又は２に記載の移動機。
【請求項４】
内部記憶部に保存されている情報を外部記憶媒体に保存する機能を有する移動機において使用されるバックアップ方法であって、
前記外部記憶媒体が前記移動機に接続されていることを検出する検出ステップと、
前記バックアップ機能の起動の要否をユーザインターフェースによりユーザに問い合わせるステップと、
起動を要する場合であって、バックアップの対象の情報量が、検出された前記外部記憶媒体に保存可能な情報量以下であった場合、前記バックアップ機能を起動し、前記内部記憶部に保存されている情報を前記外部記憶媒体に保存するステップと
を有するバックアップ方法。
【発明の詳細な説明】
【技術分野】
【０００１】
本発明は、移動機及び移動機で使用されるバックアップ方法に関する。
【背景技術】
【０００２】
移動機の技術革新が進展するにつれて、移動機は様々な種類の情報を処理できるようになってきた。一般に、移動機に保存可能な情報量は比較的少ない。したがって、移動機に保存されている情報を永続的に残す場合、ユーザはそれらの情報を外部記憶媒体に保存し直し、バックアップを行う必要がある。例えば、携帯電話は、電話帳、電子メール、画像、動画、ウェブページ、ブックマーク等の様々な情報又はコンテンツを有する。これらの情報をミニSD（miniSD）やマイクロSD（microSD）等の外部記憶媒体に保存することで、バックアップを行うことができる。
【０００３】
一般に、バックアップを行う手順は、情報やデータの種類に応じて異なる。このため、ユーザが電話帳のバックアップを行う場合、外部記憶媒体を装着し、電話帳を保存するための機能をメニューから呼び出すことで、外部記憶媒体に電話帳をコピーすることができる。画像、電子メールその他のコンテンツをコピーする場合は、それぞれのコンテンツをコピーするための機能をユーザが個々にメニューから呼び出し、外部記憶媒体にコピーを行うことになる。
【０００４】
移動機の情報をバックアップする従来の方法については、例えば特許文献１ないし３に記載されている。
【先行技術文献】
【特許文献】
【０００５】
【特許文献１】特開平５−５５９７９号公報
【特許文献２】特開２００６−３５２４６２号公報
【特許文献３】特開２０００−６９１４４号公報
【発明の概要】
【発明が解決しようとする課題】
【０００６】
移動機は今後さらに高機能化し、多種多様な情報を益々取り扱うようになり、バックアップの必要性も増えることが予想される。既存のバックアップ方法の場合、様々な情報種別毎にユーザがバックアップ機能を呼び出し、個々に外部記憶媒体に保存している。したがって、移動機で取り扱う情報の種類が増えてくると、バックアップすべきことにユーザが気付かなかったり、バックアップすべきことを忘れてしまうことが懸念される。
【０００７】
本発明の課題は、移動機に保存されている様々な情報のバックアップを簡易かつ効率的に行うことである。
【課題を解決するための手段】
【０００８】
本発明の一形態による移動機は、内部記憶部（１１）に保存されている情報を外部記憶媒体（１２）に保存するバックアップ機能を有する。移動機は、外部記憶媒体が移動機に接続されていることを検出する検出部（１３、１４）と、バックアップ機能の起動の要否をユーザに問い合わせるユーザインターフェース（１５）と、起動を要する場合であって、バックアップの対象の情報量が、検出された外部記憶媒体に保存可能な情報量以下であった場合、バックアップ機能を起動し、内部記憶部に保存されている情報を外部記憶媒体に保存するバックアップ制御部（１６、１７、１８）とを有する。
【発明の効果】
【０００９】
本発明によれば、移動機に保存されている様々な情報のバックアップを簡易かつ効率的に行うことができる。
【図面の簡単な説明】
【００１０】
【図１】本発明の一実施例による移動機の機能ブロック図。
【図２】本発明の一実施例による動作例のフローチャート。
【図３】バックアップの要否を確認する表示画面例を示す図。
【図４】第１の変形例の動作例を示すフローチャート。
【図５】後日バックアップの要否を再確認する表示画面例を示す図。
【図６】第２の変形例の動作例を示すフローチャート。
【発明を実施するための形態】
【００１１】
本発明の一形態では、携帯電話等が外部記憶媒体を感知し、バックアップ機能の起動をユーザに促す。これにより、ユーザはバックアップの必要性に気付くことができる。例えば、携帯電話が外部記憶媒体の装着を感知すると、携帯電話の電話帳や画像等の情報のバックアップの操作画面が、自動的に表示される。これにより、ユーザがバックアップ機能をメニューから呼び出して起動する手間を省略できる。
【００１２】
本発明の一形態では、外部記憶媒体が認識されている間又は認識されて以来、一定期間が経過した時点で、バックアップ確認画面がユーザに自動的に表示される。これにより、最新データのバックアップを定期的に促すことができる。この場合における一定期間は、例えば、１週間、１ヶ月等のように携帯電話で予め決められていてもよいし、ユーザが必要に応じて決定してもよい。バックアップ確認画面の表示は、適切な如何なる方法で行われてもよいが、一例として、「前回のバックアップから（一定期間）が経過しましたが、バックアップを行いますか？」という注意を促すメッセージが表示されてもよい。メッセージとともに又はそれに代えて、アイコン、着色、発光、鳴音、点滅又はピクト等を利用して注意を喚起してもよい。一定期間毎にバックアップを促す機能は、ユーザの選択によりON/OFF（イネーブル/ディセーブル）にされてもよい。
【００１３】
本発明の一形態では、マイクロSDのような外部記憶媒体に、前回のバックアップデータが存在していた場合、「上書き」を行うこと、又は別名で「新規保存」を行うことが、ユーザに確認される。外部記憶媒体は、マイクロSDだけでなく、ミニ（miniSD）その他のメモリカードでもよい。さらには、メモリカードだけでなく、記憶領域を有するパーソナルコンピュータや、他の携帯電話等の他のシステムと携帯電話を接続した場合も、本願発明による方法が使用可能である。
【００１４】
以下の観点から本発明の実施例を説明する。
【００１５】
Ａ．移動機
Ｂ．バックアップ動作例
Ｃ．変形例−その１
Ｄ．変形例−その２
【実施例１】
【００１６】
＜Ａ．移動機＞
図１は本発明の一実施例による移動機の機能ブロック図を示す。図１には、移動機に備わる機能の内、本実施例に特に関連する機能ブロックが示されている。移動機は、ユーザデータ格納部１１、マイクロＳＤ１２、外部記憶媒体ドライブ１３、外部記憶媒体認識部１４、ユーザインターフェース１５、容量比較部１６、バックアップ起動部１７及びバックアップシステム１８を有する。
【００１７】
移動機は、典型的には携帯電話であるが、情報端末、携帯用パーソナルコンピュータ、パーソナルディジタルアシスタントその他の適切な如何なるユーザ装置でもよい。ただし、本実施例は、定期的に又は不定期的に情報のバックアップを要する携帯電話に特に有利である。
【００１８】
ユーザデータ格納部１１は、移動機の内部に備わる「内部記憶部」として機能する記憶部である。ユーザデータ格納部１１は、本実施例では、ランダムアクセスメモリ(RAM)であるが、これに限定されない。例えば、フラッシュメモリ、EPROM、EEPROM、レジスタ、ハードディスク(HDD)、リムーバブルメディア、CD-ROM、データベース、サーバその他の適切な如何なる書き込み可能な記憶部が使用されてもよい。
【００１９】
マイクロＳＤ１２は、物理的に取り外し可能な「外部記憶媒体」として機能する記憶部である。本実施例では、この記憶部は、ＳＤメモリカード規格に従うマイクロＳＤであるが、これに限定されない。ミニＳＤその他のメモリカードが使用されてもよい。メモリカードだけでなく、移動機に着脱可能な適切な如何なる記憶部が使用されてもよい。
【００２０】
外部記憶媒体ドライブ１３は、後述の外部記憶媒体認識部１４とともに、外部記憶媒体を検出する「検出部」として機能する。外部記憶媒体ドライブ１３は、本実施例ではマイクロＳＤ１２である外部記憶媒体と移動機との間のインターフェースとして機能する。外部記憶媒体ドライブ１３は、移動機に取り付けられる外部記憶媒体に対応して用意される。
【００２１】
外部記憶媒体認識部１４は、外部記憶媒体ドライブ１３に外部記憶媒体１２が装着されていることを検出する。本実施例では、外部記憶媒体認識部１４は、外部記憶媒体ドライブ１３にマイクロＳＤが挿入されていることを検出する。
【００２２】
ユーザインターフェース１５は、ユーザに様々な情報を提示する機能と、ユーザからの情報を受け付ける機能とを有する。一般に、ユーザインターフェース１５は、視覚的、聴覚的又は触覚的に情報を提示するように実現される。ユーザインターフェース１５の具体例は、ディスプレイ、キーパッドを備えた制御パネル、陰極線管(CRT)、液晶ディスプレイ(LCD)、キーボード、タッチパッド、マウス、トラックボール、マイクロフォン、スピーカ、又はそれらの適切な任意の組み合わせ等であるが、これらに限定されない。本実施例では、特に、外部記憶媒体ドライブ１３に外部記憶媒体１２が装着されていることの検出結果に応じて、ユーザインターフェース１５は、バックアップ機能を起動するか否かをユーザに問い合わせる。問い合わせは、例えば、注意を喚起するメッセージを利用して行われてもよい。例えば、情報種別の選択肢とともにバックアップの要否がユーザに問い合わせられてもよい。
【００２３】
容量比較部１６は、後述のバックアップ起動部１７及びバックアップシステム１８とともに、「バックアップ制御部」として機能する。容量比較部１６は、ユーザデータ格納部１１に保存されている情報量と、外部記憶媒体１２に保存可能な情報量（空き容量）とを比較する。後述するように、バックアップが行われるのは、ユーザデータ格納部１１に保存されている情報量が、外部記憶媒体１２に保存可能な情報量以下の場合である。比較を行う際、バックアップするデータ全体の情報量と、外部記憶媒体１２の空き容量とが比較されてもよい。或いは、ユーザデータ格納部１１に保存されている情報の内、更新された部分と、外部記憶媒体１２の空き容量とが比較されてもよい。いずれにせよ、容量比較部１６は、ユーザデータ格納部１１から外部記憶媒体１２への情報転送が、記憶容量の観点から、可能であるか否かを判断する。
【００２４】
バックアップ起動部１７は、バックアップ機能の起動をユーザが希望している場合であって、情報転送が可能であることを容量比較部１６が確認している場合、バックアップ機能の起動の指示をバックアップシステム１８に送る。或いは、バックアップ機能の起動をユーザが希望している場合、バックアップ起動部１７が、バックアップ機能の起動の指示をバックアップシステム１８に送り、容量比較部１６の判断結果に応じて、バックアップシステム１８がバックアップ機能を実際に起動するか否かが決定されてもよい。
【００２５】
バックアップシステム１８は、様々な情報種別毎に、ユーザデータ格納部１１の情報をバックアップする機能を実行する。例えば、電話帳、電子メール、画像、動画、ウェブページ、ブックマーク等の様々な情報又はコンテンツを、マイクロＳＤ１２に保存する機能が、バックアップ起動部１７からの指示に応じて実行される。バックアップ機能が実行されると、指定された情報種別の情報やデータが、ユーザデータ格納部１１からマイクロＳＤ１２にコピーされる。コピーの後、ユーザデータ格納部１１内の情報は、速やかに消去されてもよいし、或いは次回上書きされるまで維持されてもよい。また、ユーザによる確認後に、消去又は上書きが行われてもよい。なお、様々な情報種別のデータ全体について、バックアップが一括して行われてもよい。
＜Ｂ．バックアップ動作例＞
図２は、本発明の一実施例による動作例のフローチャートを示す。説明の便宜上、移動機は携帯電話であり、外部記憶媒体１２はマイクロＳＤであるとしているが、上述したように本発明はそのような例に限定されない。説明に登場する機能ブロックの参照番号は、図１で使用されたものと同じである。
【００２６】
ユーザは、携帯電話を使って様々な情報通信及び情報処理を実行し、ユーザデータ格納部１１に様々な情報が保存されている。例えば、電話帳、電子メール、画像、動画、スケジュール、ブックマーク等の情報又はコンテンツが、ユーザデータ格納部１１に保存されている。携帯電話の破損や故障等による情報の消失に備え、ユーザは、マイクロＳＤ等にバックアップを行いたいと考えている。
【００２７】
ステップＳ１において、ユーザは、マイクロＳＤのような外部記憶媒体を携帯電話に装着する。
【００２８】
ステップＳ２において、携帯電話の外部記憶媒体認識部１４は、マイクロＳＤが携帯電話に装着されたことを検出する。この検出に応じて、ユーザインターフェース１５は、マイクロＳＤが装着されたことをユーザに通知する。通知は例えば待ち受け画面上にアイコンを表示することで行われてもよい。或いは、発光、点滅、鳴音、音声メッセージ等を伴う通知が行われてもよい。さらに、ユーザインターフェース１５は、保存済みのデータのバックアップを行うか否かの確認メッセージを、ディスプレイ（画面）上に自動的に速やかに表示する。図３は表示の具体例を示す。
【００２９】
ステップＳ３では、バックアップを希望するか否かを、ユーザが判断する。希望しない場合、ユーザインターフェース１５は、待ち受け画面に戻り（ステップＳ８）、フローは終了する。バックアップを希望する場合、フローはステップＳ４に進む。ユーザの意思表示は、図３の表示例ならば、「ＹＥＳ」又は「ＮＯ」を選択することで行われる。このように、マイクロＳＤの装着に応じてバックアップの要否確認が自動的に行われる点で、そのような確認が行われていなかった従来技術と大きく異なる。
【００３０】
ステップＳ４では、電話帳、電子メール、画像、動画等の情報種別のリストがディスプレイに表示され、リスト中の情報種別を選択することで、バックアップを希望する意思が情報種別毎に携帯電話に伝えられる。或いは、電話帳及び電子メールの組み合わせのような所定の組み合わせのデータがバックアップされるように、予め決められていてもよい。このように、バックアップ機能の選択肢をディスプレイに表示させることが自動的に行われる点で、これをユーザがマニュアルで行わなければならなかった従来技術と大きく異なる。
【００３１】
ステップＳ５では、携帯電話の容量比較部１６が、ユーザデータ格納部１１に保存されている情報量と、マイクロＳＤ１２に保存可能な情報量（空き容量）とを比較する。比較を行う際、バックアップするデータ全体の情報量と、外部記憶媒体１２の空き容量とが比較されてもよい。或いは、ユーザデータ格納部１１に保存されている情報の内、更新された部分と、外部記憶媒体１２の空き容量とが比較されてもよい。いずれにせよ、容量比較部１６は、ユーザデータ格納部１１の情報をマイクロＳＤ１２に保存できるか否かを、容量の観点から判断する。保存可能な場合、フローはステップＳ６に進む。
【００３２】
ステップＳ６では、選択されたコンテンツに関し、バックアップ機能が起動される。バックアップ機能が実行されると、選択された情報種別の情報やデータが、ユーザデータ格納部１１からマイクロＳＤ１２にコピーされる。以後、ユーザインターフェース１５は、待ち受け画面に戻り（ステップＳ８）、フローは終了する。なお、マイクロＳＤ１２に前回のバックアップデータが既に存在していた場合、「上書き」又は別名による「新規保存」の何れを行うかが、ユーザによって判断されてもよい。
【００３３】
一方、ステップＳ５において、保存可能でなかった場合、フローはステップＳ７に進む。ステップＳ７では、容量不足に起因して、バックアップできないことがユーザに通知される。この通知も、メッセージ形式で行うことが可能である。以後、フローはステップＳ４に戻り、保存するコンテンツの再選択を促す。
【００３４】
なお、ステップＳ４及び/又はステップＳ６において、バックアップの処理を進める前に、セキュリティ用の暗証番号を、ユーザが入力することを要求してもよい。
【００３５】
＜Ｃ．変形例−その１＞
図４は、上記実施例の変形例を示すフローチャートである。概して、ステップＳ１ないしＳ８における処理は同様である。本変形例では、ステップＳ９が追加されている。
【００３６】
上述したように、バックアップを要しなかった場合（ステップＳ３でＮＯの場合）及びステップＳ６でバックアップが実行された場合、ディスプレイは待ち受け画面に戻る（ステップＳ８）。
【００３７】
ステップＳ２において、マイクロＳＤ１２が検出された際、所定期間の経過を計るタイマーがセットされる。或いは、ステップＳ３においてバックアップの要否をユーザに問い合わせた時点で、タイマーがセットされてもよい。ただし、検出の時点と問い合わせの時点との相違は、計時する期間に比べてかなり短いので用途によっては無視しても差し支えない。ステップＳ９では、その所定期間が経過したことが検出される。その後、タイマーをリセットし、計時を再スタートさせる。ステップＳ９の後、フローはステップＳ３に戻る。
【００３８】
ステップＳ３では、バックアップの要否がユーザに改めて確認される。このステップＳ３の時点において、マイクロＳＤ１２は装着されたままであるとする。以後、ステップＳ３ないしステップＳ９の説明済みの処理が行われる。
【００３９】
ステップＳ９で計時される所定期間は、１週間、１ヶ月等のように予め携帯電話に設定されていてもよいし、或いはユーザが適宜設定してもよい。さらに、所定期間の経過時点は、カレンダにおける特定の日時に至った時点でもよい。
【００４０】
ステップＳ９に続くステップＳ３において、携帯電話のディスプレイに表示されるメッセージは、図３と同じでもよいし、異なってもよい。例えば、図５に示されるように、
「前回のバックアップから○○が経過しましたが、バックアップを行いますか？」
というようなメッセージが表示されてもよい。
【００４１】
なお、ステップＳ９の処理は、必須ではない。したがって、携帯電話が、ステップＳ９の処理を行うか否かの選択肢をユーザに提示してもよい。この場合、ユーザは、ステップＳ９の処理を行う機能をONにする又はOFFにすることができる。
＜Ｄ．変形例−その２＞
図６は、上記実施例の第２の変形例を示すフローチャートである。概して、ステップＳ１ないしＳ９における処理は、図４に関して説明された動作例と同様である。本変形例では、ステップＳ１０及びＳ１１が追加されている。
【００４２】
ステップＳ９において、一定期間の経過が確認されると、フローはステップＳ１０に進む。ステップＳ１０では、携帯電話にマイクロＳＤが装着されているか否かが確認される。装着されていた場合、フローはステップＳ３に戻り、ステップＳ３ないしステップＳ９の説明済みの処理が行われる。ステップＳ１０の時点において、携帯電話にマイクロＳＤが装着されていなかった場合、フローはステップＳ１１に進む。
【００４３】
ステップＳ１１では、マイクロＳＤが装着されていないこと、又はマイクロＳＤが装着されるべきことがユーザに通知される。そして、フローは終了する。ユーザがバックアップを希望する場合、ユーザはマイクロＳＤを携帯電話に装着する。その結果、ステップＳ１以降の処理が行われ、必要なバックアップを行うことができる。
【００４４】
以上本発明は特定の実施例を参照しながら説明されてきたが、それらは単なる例示に過ぎず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。実施例又は項目の区分けは本発明に本質的ではなく、２以上の実施例又は項目に記載された事項が必要に応じて組み合わせて使用されてよいし、或る実施例又は項目に記載された事項が、別の実施例又は項目に記載された事項に(矛盾しない限り)適用されてよい。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が本発明に包含される。
【符号の説明】
【００４５】
１１  ユーザデータ格納部
１２  マイクロＳＤ
１３  外部記憶媒体ドライブ
１４  外部記憶媒体認識部
１５  ユーザインターフェース
１６  容量比較部
１７  バックアップ起動部
１８  バックアップシステム
【図１】
2011066553.tif 000003
【図２】
2011066553.tif 000004
【図３】
2011066553.tif 000005
【図４】
2011066553.tif 000006
【図５】
2011066553.tif 000007
【図６】
2011066553.tif 000008